(57)【要約】【課題】例えばキャンピングカー、航空機、ヨット、鉄道車両等に設置されている衛生洗浄装置の場合、移動体の使用後は凍結防止や衛生上、衛生洗浄装置の洗浄水貯留手段内、移動体の貯水タンクや、配管内の水を抜いてしまうことがある。【解決手段】洗浄水を貯留する洗浄水貯留手段と、給水口からの前記洗浄水貯留手段への給水を制御する給水制御手段と、前記給水制御手段を制御する制御手段とを有する衛生洗浄装置において、電源が投入された場合、一定時間が経過するまで、前記給水制御手段を給水状態にすることを特徴とする衛生洗浄装置。【選択図】　図２
2004116241.tif 000002
【特許請求の範囲】
【請求項１】
洗浄水を貯留する洗浄水貯留手段と、給水口からの前記洗浄水貯留手段への給水を制御する給水制御手段と、前記給水制御手段を制御する制御手段とを有する衛生洗浄装置において、電源が投入された場合、一定時間が経過するまで、前記給水制御手段を給水状態にすることを特徴とする衛生洗浄装置。
【請求項２】
請求項１に記載の衛生洗浄装置において、止スイッチや洗浄スイッチ等のスイッチ類が操作されるまで、または、一定時間が経過するまで、給水制御手段を給水状態とすることを特徴とする衛生洗浄装置。
【請求項３】
請求項２に記載の衛生洗浄装置において、洗浄水貯留手段の満水を検知する満水検知手段を有するとともに、満水検知手段が満水であると検知した後から、止スイッチや洗浄スイッチ等のスイッチ類が操作されるまで、または、一定時間が経過するまで、給水制御手段を給水状態とすることを特徴とする衛生洗浄装置。
【請求項４】
請求項１、２、３に記載の衛生洗浄装置において、便器に確実に取り付けられたことを検知する着脱検知手段を有するとともに、電源が投入されても、制御手段は前記着脱検知手段が非検知中は給水制御手段の止水状態を継続し、次に着座検知手段が検知となった際に、給水制御手段を給水状態とすることを特徴とする衛生洗浄装置。
【発明の詳細な説明】
【０００１】
【発明の属する技術分野】
本発明は、便器に据付けられ人体局部の温水洗浄を行う衛生洗浄装置に関する。
【０００２】
【従来の技術】
従来、衛生洗浄装置において、電源投入後最初に洗浄スイッチが操作されたときに洗浄水貯留手段の満水検知手段が満水と検知するまで、もしくは満水と検知してから所定時間が経過するまで給水制御手段を給水状態にするものがある（例えば、特許文献１参照。）。
これは、衛生洗浄便座を現場に設置した直後等、洗浄水貯留手段が満水でない場合に、容易に洗浄水貯留手段を満水化できるものである。
【０００３】
【特許文献１】
特開２００１−２００５６７
【０００４】
その一方で、洗浄水貯留手段を自動的に満水化するに際して、以下のような不都合を生じていた。
【０００５】
移動体、例えばキャンピングカー、航空機、ヨット、鉄道車両等に設置されている衛生洗浄装置の場合、移動体の使用後は凍結防止や衛生上、衛生洗浄装置の洗浄水貯留手段内、移動体の貯水タンクや、配管内の水を抜いてしまうことがある。
【０００６】
しかしながら、移動体を再度使用するため移動体内の貯水タンクに水を給水しても配管内には空気が溜まったままであるため、衛生洗浄装置の局部洗浄を行うと洗浄水と空気が不規則に混ざった状態で局部以外の臀部や大腿部後面などに飛散することになる。従来技術ではこの空気を抜くために、使用者が衛生洗浄装置の洗浄スイッチを操作しなければならず、空気を抜くための時間を待つ必要があり、不便であった。
【０００７】
本発明は、この様な課題を解決するためのものであり、配管内に溜まった空気を自動的に抜くため、使用者が洗浄スイッチを押してから空気が抜ける時間を待たずにすむ衛生洗浄装置を提供することを目的とする。
【０００８】
【課題を解決するための手段】
請求項１は、洗浄水を貯留する洗浄水貯留手段と、給水口からの前記洗浄水貯留手段への給水を制御する給水制御手段と、前記給水制御手段を制御する制御手段とを有する衛生洗浄装置において、電源が投入された場合、一定時間が経過するまで、前記給水制御手段を給水状態にすることを特徴とする。これにより、移動体が再度使用される際には、使用者がスイッチ操作等をしなくても、電源投入から一定時間が経過するまで給水状態であるため、移動体の配管内に溜まった空気を抜くことができる。
【０００９】
また、請求項２は、請求項１に記載の衛生洗浄装置において、止スイッチや洗浄スイッチ等のスイッチ類が操作されるまで、または、一定時間が経過するまで、給水制御手段を給水状態とすることを特徴とする。これにより、移動体の配管内に空気が溜まっていても、電源投入からスイッチ類が操作されるまで、または、一定時間が経過するまで給水状態であり、使用者が最初にスイッチ操作等をする必要がないため、空気が抜ける時間を待だずにすむことができる。
【００１０】
また、請求項３は、請求項２に記載の衛生洗浄装置において、洗浄水貯留手段の満水を検知する満水検知手段を有するとともに、満水検知手段が満水であると検知した後から、止スイッチや洗浄スイッチ等のスイッチ類が操作されるまで、または、一定時間が経過するまで、給水制御手段を給水状態とすることを特徴とする。これにより、移動体の配管内に空気が溜まっていても、電源投入から洗浄水貯留手段が満水となった後も、スイッチ類が操作されるまで、または、一定時間が経過するまで給水状態であり、使用者が最初にスイッチ操作等をする必要がないため、空気が抜ける時間を待たずにすむことができる。
【００１１】
また、請求項４は、請求項１、２、３に記載の衛生洗浄装置において、便器に確実に取り付けられたことを検知する着脱検知手段を有するとともに、電源が投入されても、制御手段は前記着脱手段が非検知中は給水制御手段の止水状態を継続し、次に着座検知手段が検知となった際に、給水することを特徴とする。これにより、衛生洗浄装置が便器に確実に取り付けられて初めて、給水制御手段を給水状態とすることで、使用者がスイッチ操作等をしなくても、移動体の配管内に溜まっている空気を抜くことができる。
【００１２】
【発明の実施の形態】
本発明の内容をより理解しやすくするため、以下に実施例を用いて詳説する。
【００１３】
【実施例】
図１に本発明に係わる衛生洗浄装置の要部ブロック構成図を示す。図１において、洗浄水を供給する給水配管には、上流側から順に、給水部１、フィルタ２、逆止弁３、調圧弁４が接続されている。調圧弁４の下流は、流路の通水を制御する電磁弁７に接続されている。電磁弁７の下流は、安全弁８を介して温水タンク９へ接続されている。また、温水タンク９内には、温水ヒータ１０及び、満水を検知するためのフロートＳＷ１１、及び温水タンク内の温度を検知するための温水サーミスタ１６が設けられている。通常、フロートＳＷ１１は磁気を検出してＯＮ／ＯＦＦするリードＳＷがもちいられる。
また、温水タンク９の下流には、バキュームブレーカ１２が接続され、さらに流路切替兼流量調整弁１３が接続されている。流路切替兼流量調整弁１３の下流は、洗浄水を人体へ噴出するノズル装置１４へ接続されている。また、ノズル装置１４には、おしり洗浄流路、やわらか洗浄流路、ビデ洗浄流路の３つの流路が構成されており、制御手段５からの指示により適宜流路を切り替えることができる。
上記の構成により、電磁弁７の開動作により給水部１から供給された洗浄水は、温水タンク９により適温の湯に加熱され、バキュームブレーカ１２を押し上げ、流路切替兼流量調整弁１３へと至る。ここで洗浄水は、流路切替兼流量調整弁１３により流量調節され、選択された流路を通り、ノズル装置１４から噴出されるのである。
また、制御手段５は、着座検出手段６からの信号を受けて制御している。ここでは、着座検出手段６は光電反射式センサーを記載している。着座検出手段６は赤外線を投光して、対象物（人体）からの反射光のレベルで対象物の有無を判断して制御手段５に出力している。
さらに、制御手段５は、着脱検出手段１５からの信号を受けて制御している。ここでは、着脱検出手段１５は普通、衛生洗浄装置と便器と取付け機構で構成されている。着脱検出手段１５は衛生洗浄装置と便器との取付け面に突起したマイクロＳＷ等で、衛生洗浄装置が着脱され、便器面から浮き上がるとＯＦＦするような構造で構成される。（ここでは詳細略）
【００１４】
図２に本発明における請求項１の制御内容をフローチャートで示している。ここでは給水制御手段を電磁弁として、電磁弁ＯＮを給水開始、電磁弁ＯＦＦを給水停止としている。まず、電源投入後、（Ｓ２１）で電磁弁をＯＮし給水を開始させ、（Ｓ２１）でタイマをスタートさせ時間を計測開始してから、（Ｓ２３）でタイマのカウントが設定値になった後、（Ｓ２４）で電磁弁をＯＦＦし、給水を停止して、洗浄待機状態に移る。これにより、電源投入時に自動的に空気を抜くことができる。
【００１５】
図３に本発明における請求項２の制御内容をフローチャートで示している。ここでは給水制御手段を電磁弁として、電磁弁ＯＮを給水開始、電磁弁ＯＦＦを給水停止としている。まず、電源投入後、（Ｓ３１）で電磁弁をＯＮし給水を開始させ、（Ｓ３２）でタイマをスタートさせ時間を計測開始してから、（Ｓ３３）でスイッチ類の操作が行われた場合、または、（Ｓ３４）でタイマのカウントが設定値になった後、（Ｓ３５）で電磁弁をＯＦＦし、給水を停止して、洗浄待機状態に移る。これにより、電源投入後に自動的に空気を抜くことができる。また、設定時間よりも早く空気が抜けた場合はスイッチ類の操作により、給水を停止させ、洗浄待機状態にすることができる。
【００１６】
図４に本発明における請求項３の制御内容をフローチャートで示している。ここでは、給水制御手段を電磁弁とし、満水検出手段をフロートスイッチとして、電磁弁ＯＮを給水開始、電磁弁ＯＦＦを給水停止としている。まず、電源投入後、（Ｓ４１）で電磁弁をＯＮし給水を開始させ、（Ｓ４２）でフロートＳＷのＯＮ／ＯＦＦ判断を行う。そこで（Ｓ４２）でフロートＳＷがＯＦＦなら、フロートＳＷがＯＮになるまで給水を継続する。また（Ｓ４２）でフロートＳＷがＯＮなら、（Ｓ４３）でタイマをスタートさせ時間を計測してから、（Ｓ４４）でスイッチ類の操作が行われた場合、または、（Ｓ４５）でタイマのカウントが設定値になった後、（Ｓ４６）で電磁弁をＯＦＦし、給水を停止して、洗浄待機状態に移る。これにより、衛生洗浄装置の温水タンク内に空気が入っている場合にも、温水タンクが満水になった後に配管内の空気を自動的に抜くことができる。
【００１７】
図５に本発明における請求項４の制御内容をフローチャートで示している。ここでは、着脱検知手段を着脱スイッチとし、給水制御手段を電磁弁とし、満水検出手段をフロートスイッチとして、電磁弁ＯＮを給水開始、電磁弁ＯＦＦを給水停止としている。まず、電源投入後、（Ｓ５１）で着脱スイッチのＯＮ／ＯＦＦ判断を行い、（Ｓ５１）で着脱スイッチがＯＮの状態のときのみ、（Ｓ５２）で電磁弁ＯＮで給水を開始させ、（Ｓ５３）でフロートＳＷのＯＮ／ＯＦＦ判断を行う。そこで（Ｓ５３）でフロートＳＷがＯＦＦなら、フロートＳＷがＯＮになるまで給水し、また（Ｓ５３）でフロートＳＷがＯＮなら、（Ｓ５４）でタイマをスタートさせ時間を計測してから、（Ｓ５５）でスイッチ類の操作が行われた場合、または、（Ｓ５６）でタイマのカウントが設定値になった後、（Ｓ５７）で電磁弁をＯＦＦし、給水を停止して、洗浄待機状態に移る。これにより、衛生洗浄装置が便器に確実にセットされていない場合は、配管内の空気を抜く過程で水が排水されても便器外に排水することがないようにすることができる。
【００１８】
以上のようにして、衛生洗浄装置を制御させることで、移動体の配管内の空気を自動的に抜くことができるので、使用者が空気が抜けるのを待つ時間を省くことができる。
【００１９】
【発明の効果】
本発明は上記構成により次の効果を発揮する。
【００２０】
請求項１では、移動体が再使用される際には、使用者がスイッチ操作等をしなくても、電源投入から一定時間が経過するまで給水状態であるため、移動体の配管内に溜まった空気を抜くことができる。
【００２１】
請求項２では、移動体の配管内に空気が溜まっていても、電源投入からスイッチ類が操作されるまで、または、一定時間が経過するまで給水状態であり、使用者が最初にスイッチ操作等をする必要がないため、空気が抜ける時間を待たずにすむことができる。
【００２２】
請求項３では、移動体の配管内及び衛生洗浄装置の洗浄水貯留手段内に空気が溜まっていても、電源投入から洗浄水貯留手段が満水となった後も、スイッチ類が操作されるまで、または、一定時間が経過するまで給水状態であり、使用者が最初にスイッチ操作等をする必要がないため、移動体の配管内の空気が抜ける時間を待たずにすむことができる。
【００２３】
請求項４では、衛生洗浄装置が便器に確実に取り付けられて初めて、給水制御手段を給水状態とすることで、衛生洗浄装置が便器から外れていても、移動体の配管内の空気を抜く過程で、水が便器外へ排水されることがないようにすることができる。
【図面の簡単な説明】
【図１】は本発明に係わる衛生洗浄装置の要部ブロック構成図である。
【図２】は本発明に係わる請求項１のフローチャートである。
【図３】は本発明に係わる請求項２のフローチャートである。
【図４】は本発明に係わる請求項３のフローチャートである。
【図５】は本発明に係わる請求項４のフローチャートである。
【符号の説明】
１…給水部（上水道口）
２…フィルタ（ストレーナ）
３…逆止弁
４…調圧弁
５…制御手段
６…着座検出手段（着座センサー）
７…給水制御手段（電磁弁）
８…安全弁
９…温水タンク（熱交タンク）
１０…温水ヒータ
１１…満水検出手段（フロートＳＷ）
１２…バキュームブレーカ
１３…流路切替兼流量調整弁
１４…ノズル装置
１５…着脱検出手段（着脱ＳＷ）
１６…温水温度検出手段（サーミスタ）
【図１】
2004116241.tif 000003
【図２】
2004116241.tif 000004
【図３】
2004116241.tif 000005
【図４】
2004116241.tif 000006
【図５】
2004116241.tif 000007